(57)【要約】【課題】簡単な手段によって、チューナで発生する局部発振ノイズの外部放射を大幅に抑制できるようにする。【解決手段】メイン基板３６上に、チューナ２と、回路素子が実装されたモジュール基板３２と、チューナ２とモジュール基板３２との間に設けられたシールド板３１とが配設され、シールド板３１がチューナ２と一定距離を隔てて位置しており、当該シールド板３１の面とチューナ２の筐体２１の側面とが実質的に平行となっているテレビジョン受信機において、チューナ２の筐体２１の上面２２に接触する第１の接触部３４と、シールド板３１に接触する第２の接触部３５とを有するＬ字状の磁性体からなる接触部材３３を設け、この接触部材３３を介してチューナ２の筐体２１をシールド板３１に接続した。【選択図】図１
2007259359.tif 000002
【特許請求の範囲】
【請求項１】
テレビジョン信号を受信するアンテナと、
局部発振回路を内蔵し、前記アンテナが受信したテレビジョン信号から、選局された所定周波数の信号を抽出するチューナと、
前記チューナで抽出された信号を処理して映像信号および音声信号を出力する信号処理部とを備え、
メイン基板上に、前記チューナと、回路素子が実装されたモジュール基板と、前記チューナとモジュール基板との間に設けられたシールド板とが配設され、前記シールド板が前記チューナと一定距離を隔てて位置しており、当該シールド板の面と前記チューナの筐体の側面とが実質的に平行となっているテレビジョン受信機において、
前記チューナの筐体の上面に接触する第１の接触部と、前記シールド板に接触する第２の接触部とを有するＬ字状の磁性体からなる接触部材を設け、この接触部材を介して前記チューナの筐体を前記シールド板に接続したことを特徴とするテレビジョン受信機。
【請求項２】
信号を受信するアンテナと、
局部発振回路を内蔵し、前記アンテナが受信した信号から、選局された所定周波数の信号を抽出するチューナと、
前記チューナで抽出された信号を処理する信号処理部とを備え、
メイン基板上に、前記チューナと、回路素子が実装されたモジュール基板と、前記チューナとモジュール基板との間に設けられたシールド板とが配設され、前記シールド板が前記チューナと一定距離を隔てて位置しており、当該シールド板の面と前記チューナの筐体の側面とが実質的に平行となっている受信装置において、
前記チューナの筐体と前記シールド板とに跨って磁性体からなる接触部材を設け、この接触部材を介して前記チューナの筐体を前記シールド板に接続したことを特徴とする受信装置。
【請求項３】
請求項２に記載の受信装置において、
前記接触部材は、前記チューナの長手方向のほぼ全域にわたって、筐体と接触していることを特徴とする受信装置。
【請求項４】
請求項２に記載の受信装置において、
前記接触部材は、前記チューナの長手方向の一部領域で、筐体と接触していることを特徴とする受信装置。
【請求項５】
請求項４に記載の受信装置において、
前記接触部材が筐体と接触する位置は、前記チューナの長手方向における局部発振回路に対応する位置であることを特徴とする受信装置。
【発明の詳細な説明】
【技術分野】
【０００１】
本発明は、テレビジョン受信機等のチューナに内蔵された局部発振回路から発生するノイズを抑制する技術に関する。
【背景技術】
【０００２】
テレビジョン受信機のチューナには、高周波増幅回路や周波数混合回路とともに、局部発振回路が内蔵されている。局部発振回路は、基準発振器、分周回路、ＰＬＬ（Phase Locked Loop）回路等から構成される。基準発振器が生成したクロック信号は、分周回路で分周されてＰＬＬ回路に入力される。この信号は、ＰＬＬ回路において位相比較回路および低域フイルタを介して電圧制御発振回路に与えられ、電圧制御発振回路は、所定周波数の局部発振信号を生成して周波数混合回路へ出力する。また、この局部発振信号は分周されて位相比較回路へフィードバックされる。位相比較回路は、基準発振器と電圧制御発振回路の各出力の位相を比較して、位相差を検出する。そして、検出された位相差に応じた信号を電圧制御発振回路に与えることにより、局部発振信号の周波数が制御され、安定した周波数の局部発振信号が得られる。周波数混合回路は、この局部発振信号と高周波増幅回路で増幅されたテレビジョン信号とを混合し、中間周波信号を出力する。
【０００３】
上記のようなチューナを備えたテレビジョン受信機においては、局部発振回路で発生するノイズ（以下「局部発振ノイズ」という。）が問題となる。このノイズは、不要輻射となってテレビジョン受信機の外部に放射され、近傍の機器に悪影響を与える。そこで、局部発振ノイズを抑えるために、局部発振回路のインダクタンスやキャパシタンス等の値を調整して、共振点での発振レベルが大きくなり過ぎないようにするなどの対策が従来から行われている。
【０００４】
また、下記の特許文献１には、高周波増幅回路や局部発振回路からの不要輻射を抑制するために、チューナユニットのシールドカバーに半球状の凸部または断面三角形の凸部を複数個形成し、これらの凸部により不要輻射を分散するようにした衛星放送受信用のチューナユニットが記載されている。
【特許文献１】特開２００３−２９８４３７号公報
【発明の開示】
【発明が解決しようとする課題】
【０００５】
しかしながら、上述したような局部発振回路の素子の回路定数を調整する方法では、調整が煩雑になるとともに、ノイズを抑制するためには発振出力のレベルを下げる必要があるので、チューナの動作が不安定になるおそれがある。一方、特許文献１は、シールドカバーに形成した凸部によってノイズを分散させるものであるが、分散だけではノイズ対策としては不十分であり、大幅なノイズ抑制は期待できない。また、チューナ本体に特殊な加工を施さなければならないという問題もある。
【０００６】
そこで、本発明は、簡単な手段によって、チューナで発生する局部発振ノイズの外部放射を大幅に抑制できるテレビジョン受信機および受信装置を提供することを目的とする。
【課題を解決するための手段】
【０００７】
本発明に係る受信装置は、信号を受信するアンテナと、局部発振回路を内蔵し、アンテナが受信した信号から、選局された所定周波数の信号を抽出するチューナと、このチューナで抽出された信号を処理する信号処理部とを備え、メイン基板上に、チューナと、回路素子が実装されたモジュール基板と、チューナとモジュール基板との間に設けられたシールド板とが配設され、シールド板がチューナと一定距離を隔てて位置しており、当該シールド板の面とチューナの筐体の側面とが実質的に平行となっている受信装置において、チューナの筐体とシールド板とに跨って磁性体からなる接触部材を設け、この接触部材を介してチューナの筐体をシールド板に接続したものである。
【０００８】
本発明の受信装置においては、接触部材によりチューナの筐体とシールド板とがブリッジ接続される結果、シールド面積が増大してノイズの遮蔽効果が高められ、チューナ内部で発生した局部発振ノイズが不要輻射として受信装置の外部へ放射されるのを大幅に抑制することができる。
【０００９】
接触部材は、チューナの長手方向のほぼ全域にわたって筐体と接触してしてもよく、あるいは、チューナの長手方向の一部領域で筐体と接触していてもよい。後者の場合においては、接触部材が筐体と接触する位置が、チューナの長手方向における局部発振回路に対応する位置であれば、ノイズの抑制に一層効果的である。
【００１０】
また、本発明に係るテレビジョン受信機は、テレビジョン信号を受信するアンテナと、局部発振回路を内蔵し、アンテナが受信したテレビジョン信号から、選局された所定周波数の信号を抽出するチューナと、このチューナで抽出された信号を処理して映像信号および音声信号を出力する信号処理部とを備え、メイン基板上に、チューナと、回路素子が実装されたモジュール基板と、チューナとモジュール基板との間に設けられたシールド板とが配設され、シールド板がチューナと一定距離を隔てて位置しており、当該シールド板の面とチューナの筐体の側面とが実質的に平行となっているテレビジョン受信機において、チューナの筐体の上面に接触する第１の接触部と、シールド板に接触する第２の接触部とを有するＬ字状の磁性体からなる接触部材を設け、この接触部材を介してチューナの筐体をシールド板に接続したものである。
【００１１】
本発明のテレビジョン受信機においては、接触部材によりチューナの筐体とシールド板とがブリッジ接続される結果、シールド面積が増大してノイズの遮蔽効果が高められ、チューナ内部で発生した局部発振ノイズが不要輻射としてテレビジョン受信機の外部へ放射されるのを大幅に抑制することができる。
【発明の効果】
【００１２】
本発明によれば、チューナの筐体を接触部材を介してシールド板に接続するだけで、シールド効果が向上して外部へ放射される局部発振ノイズを抑制することができるので、簡単な構造により低コストで有効なノイズ対策を施すことが可能となる。
【発明を実施するための最良の形態】
【００１３】
図１および図２は、本発明の実施形態を示す図であって、図１は、テレビジョン受信機におけるチューナ部分の斜視図、図２は、図１を右側からみた正面図である。３６は各種の部品が搭載されている配線基板からなるメイン基板であって、このメイン基板３６上には、チューナ２と、シールド板３１と、モジュール基板３２とが配設されている。２１はチューナ２の筐体であって、鉄板などの磁性体からなる。チューナ２の内部回路については後述する。２４は筐体２１から外部へ導出されたアンテナ端子であって、図示しないアンテナで受信された信号が入力される。
【００１４】
モジュール基板３２の片面には、図２に示すように、デジタル回路を構成する回路素子３７が実装されている。モジュール基板３２の回路素子３７と反対側の面（チューナ２側の面）には、シールド板３１が設けられている。このシールド板３１は、チューナ２とモジュール基板３２との間に介在して、モジュール基板３２の回路素子３７に内蔵されているクロック発生器から発生するノイズがチューナ２へ影響を及ぼすのを防止する役割を果たす。このクロック発生器で発生するノイズのレベルは、チューナ２で発生する局部発振ノイズのレベルに比べて十分小さいので、外部への不要輻射は問題とならない。図２のように、シールド板３１は、メイン基板３６への実装の作業性を考慮して、チューナ２と一定距離を隔てて位置しており、両者の間は空間３８となっている。また、シールド板３１の面とチューナ２の筐体２１の側面２３とは、実質的に平行となっている。シールド板３１とチューナ２の筐体２１は、ともにメイン基板３６のグランド（接地）ラインに電気的に接続されている。
【００１５】
３３は、チューナ２の筐体２１とシールド板３１とに跨って設けられたＬ字状の接触部材であって、鉄板などの磁性体からなる。この接触部材３３は、チューナ２の筐体２１の上面２２に接触する接触部３４（第１の接触部）と、シールド板３１に接触する接触部３５（第２の接触部）とを有している。接触部３５は、例えば半田付け、溶接、ビス等の固定手段により、シールド板３１に固定されている。接触部３４は、その弾性を利用して、チューナ２の筐体２１の上面２２に圧接されている。もちろん、接触部３４を接触部３５と同様の固定手段により筐体２１に固定してもよい。また、ここでは接触部材３３をシールド板３１とは別の部材として設けているが、例えば、シールド板３１の一部を切り起して舌片を形成し、この舌片を接触部材としてもよい。
【００１６】
このように、接触部材３３の接触部３４，３５がチューナ２の筐体２１とシールド板３１に接触する結果、接触部材３３を介して、チューナ２の筐体２１がシールド板３１に接続される。これによって、後述するように、チューナ２で発生した局部発振ノイズが外部へ放射されるのを抑制することができる。なお、図１に示されるように、接触部材３３は、チューナ２の長手方向（図１で左右方向）の一部領域で、筐体２１の上面２２と接触している。本実施形態では、接触部材３３はアンテナ端子２４に近い位置、すなわち上面２２の端部に接触している。
【００１７】
図３は、テレビジョン受信機５０の概略ブロック図を示している。１はテレビジョン信号を受信するアンテナであって、このアンテナで受信された信号はアンテナ端子２４を介して、チューナ２に入力される。チューナ２は、アンテナ１が受信したテレビジョン信号から、選局された所定周波数の信号を抽出する。チューナ２には、高周波増幅回路３、周波数混合回路４、局部発振回路５が備わっている。局部発振回路５は、冒頭でも述べたように基準発振器、分周回路、ＰＬＬ回路等から構成され、チャンネル選局用の選局信号に応じた周波数の局部発振信号を生成する。
【００１８】
チューナ２に入力されたテレビジョン信号は、高周波増幅回路３で高周波増幅された後、周波数混合回路４へ与えられる。周波数混合回路４は、局部発振回路５で生成された局部発振信号と、高周波増幅回路３で増幅されたテレビジョン信号とを混合して、中間周波信号を生成する。この中間周波信号は、信号処理部６に入力される。信号処理部６は、中間周波信号に対して増幅・検波等の処理を行い、映像信号と音声信号を出力する。映像信号はディスプレイ（図示省略）へ与えられ、音声信号はスピーカ（図示省略）に与えられる。
【００１９】
図４は、テレビジョン受信機５０のチューナ２から外部に放射される局部発振ノイズ（不要輻射）を測定する装置を示した図である。５１はテレビジョン受信機５０を載置する載置台であって、この載置台５１はターンテーブル５２の上に設置されている。ターンテーブル５２は図示しないモータによって、矢印方向に回転する。５３はテレビジョン受信機５０の位置から３ｍ離れた位置に設置されたアンテナであって、支柱５４に支持されている。５５はアンテナ５３が受信した信号に基づいてノイズを測定するノイズ測定器である。ターンテーブル５２を回転させながら、テレビジョン受信機５０から放射されるノイズをアンテナ５３で受信して測定を行うと、テレビジョン受信機５０の向きによってアンテナ５３で受信される電界強度のレベルが変化するが、測定された電界強度のうち最大レベルの電界強度を測定値とする。
【００２０】
図５は、上記のような測定装置を用いてノイズを実測した結果を示している。ここでは、ＵＨＦ帯域の５つのチャンネルについて測定を行った。表中の「周波数」は各チャンネルに対応する周波数、「最大電界強度」は上述した最大レベルの電界強度を表している。「ＣＦＦ規格値」は、米国の電波規格であるＦＣＣ（Federal Communications Committee）規格で定められた電界強度の限界値を表している。「マージン」は、ＣＦＦ規格値から最大電界強度を差し引いた値を表している。また、「従来値」は、従来のテレビジョン受信機に対して同様の測定を行って得られたマージンを表している。
【００２１】
図５において、例えば３６チャンネルの測定結果をみると、図１のような接触部材３３を設けていない従来のテレビジョン受信機の場合は、最大電界強度のマージンは６．８であるが、本発明のように接触部材３３を設けた場合は、最大電界強度のマージンが１４．７となっている。また、６９チャンネルについては、従来のマージンは３．７であるのに対し、本発明ではマージンが６．２となっている。図５から、本発明の場合は６ｄＢ以上のマージンを確保できることがわかる。すなわち、本発明によると、チューナ２で発生した局部発振ノイズによる不要輻射が大幅に抑えられる結果、ＣＦＦ規格値に対するマージンを大きく取ることができ、近傍の機器に悪影響を与えるのを防止することができる。
【００２２】
このように、接触部材３３を設けたことで局部発振ノイズの外部放射が減少するのは、接触部材３３によりチューナ２の筐体２１とシールド板３１とがブリッジ接続される結果、シールド面積が増大してノイズの遮蔽効果が高まるためと考えられる。したがって、本発明によれば、チューナ２の筐体２１を接触部材３３を介してシールド板３１に接続するだけで、シールド効果が向上して外部へ放射される局部発振ノイズを抑制することができ、簡単な構造により低コストで有効なノイズ対策を施すことが可能となる。
【００２３】
図６は、本発明の他の実施形態を示す図である。図６では、図１と同一部分に同一符号を付してある。本実施形態では、図１のようにチューナ２と部分的に接触する接触部材３３に代えて、チューナ２の長手方向（図６で左右方向）のほぼ全域にわたってチューナ２と接触する接触部材３３ａを設けている。３４ａは筐体２１の上面２２に接触する接触部（第１の接触部）、３５ａはシールド板３１に接触する接触部（第２の接触部）である。接触部材３３ａの材質や固定方法については、図１の接触部材３３と同じである。
【００２４】
このように、接触部材３３ａの接触部３４ａ，３５ａがチューナ２の筐体２１とシールド板３１に接触する結果、接触部材３３ａを介して、チューナ２の筐体２１がシールド板３１に接続される。そして、接触部材３３ａはチューナ２のほぼ全域にわたって設けられるので、シールド面積が図１の場合より更に増大して、局部発振ノイズの外部放射をより一層抑制することができる。特に、接触部材３３ａの接触部３４ａにより、チューナ２とシールド板３１との間の空間３８の上方が塞がれるので、空間３８から上方へ放射される局部発振ノイズを有効に抑制することができる。
【００２５】
本発明では、上述した以外にも種々の実施形態を採用することができる。例えば、接触部材３３をチューナ２と部分的に接触させる場合、図７に示すように、接触部材３３が筐体２１の上面２２と接触する位置を、チューナ２の長手方向における局部発振回路５に対応する位置としてもよい。図７では、図１と同一部分に同一符号を付してある。なお、２５は局部発振回路５が実装されている基板である。このようにノイズ発生源である局部発振回路５と対応する位置に接触部材３３を設けると、より有効なノイズ対策を行うことができる。
【００２６】
また、上記実施形態では、接触部材３３をチューナ２の筐体２１の上面２２に接触させているが、接触部材３３を筐体２１の側面に接触させるようにしてもよい。さらに、図１や図７のような接触部材３３を複数個設け、筐体２１と複数箇所で接触させるようにしてもよい。
【００２７】
上記実施形態においては、本発明をテレビジョン受信機に適用した例を挙げたが、本発明はラジオ受信機、衛星放送用チューナ装置、オーディオ機器のような他の受信装置にも適用することができる。
【図面の簡単な説明】
【００２８】
【図１】本発明のテレビジョン受信機におけるチューナ部分の斜視図である。
【図２】図１を右側からみた正面図である。
【図３】テレビジョン受信機の概略ブロック図である。
【図４】ノイズを測定する装置を示した図である。
【図５】測定装置を用いてノイズを実測した結果である。
【図６】本発明の他の実施形態を示す図である。
【図７】本発明の他の実施形態を示す図である。
【符号の説明】
【００２９】
１    アンテナ
２    チューナ
５    局部発振回路
６    信号処理部
２１  筐体
２２  上面
２３  側面
３１  シールド板
３２  モジュール基板
３３，３３ａ  接触部材
３４，３４ａ  接触部（第１の接触部）
３５，３５ａ  接触部（第２の接触部）
３６  メイン基板
３７  回路素子
５０  テレビジョン受信機
【図１】
2007259359.tif 000003
【図２】
2007259359.tif 000004
【図３】
2007259359.tif 000005
【図４】
2007259359.tif 000006
【図５】
2007259359.tif 000007
【図６】
2007259359.tif 000008
【図７】
2007259359.tif 000009